(57)【特許請求の範囲】
【請求項１】
液晶パネルの特性に応じたγ信号及びＶｃｏｍ信号を発生し、画像データ信号に従う画像が所定の階調度で表示されるように、前記γ信号及び前記Ｖｃｏｍ信号に基づいて、液晶パネルを交流駆動する液晶駆動装置において、
信号発生回路制御プログラムに基づいて動作し、前記液晶パネルの交換時に、かつ、前記液晶駆動装置の電源投入直後に、前記交換された液晶パネルに対応して調整された前記γ信号および前記Ｖｃｏｍ信号の適正値をソフトウエアで指定することで、複数の電位アドレス信号から順次に選択される１つの電位アドレス信号と、正極又は負極を交互に選択するための極性制御信号とを発生する信号発生回路と、
順次に選択された複数（Ｎ＋Ｍ個）の電位アドレス信号に基づいて、Ｎ個のγ電圧信号から成るγ電圧信号群と、Ｍ個のＶｃｏｍ電圧信号から成るＶｃｏｍ電圧信号群とを発生する電位生成回路と、
前記Ｎ個のγ電圧信号、Ｍ個のＶｃｏｍ電圧信号及び前記極性制御信号が入力され、前記γ電圧信号群の内から特定のγ電圧信号をその極性と共に選択すると共に、特定のＶｃｏｍ電圧信号を出力するインピーダンス変換回路と、前記インピーダンス変換回路から出力されるγ電圧信号に基づいて前記画像データ信号の電圧を出力する液晶駆動回路と
を備えることを特徴とする
液晶駆動装置。
【請求項２】
前記電位生成回路は、
高電圧電源と低電圧電源との電位差を分圧し、複数の参照電圧を発生する抵抗ストリングス回路と、
前記電位アドレス信号に基づいてγ電位アドレスをラッチするＮ個のデータラッチ回路と、前記γ電位アドレスをγデジタル信号に変換するＮ個のデコーダ回路と、前記γデジタル信号に基づいて前記複数の参照電圧の中から１つの電圧を選択するＮ個のＤＡコンバータ回路とを有し、前記γ電圧信号群を発生するγ電位出力回路と、
前記電位アドレス信号に基づいてＣＯＭ電位アドレスをラッチするＭ個のデータラッチ回路と、前記ＣＯＭ電位アドレスをＣＯＭデジタル信号に変換するＭ個のデコーダ回路と、前記ＣＯＭデジタル信号に基づいて前記複数の参照電圧の中から１つの電圧を選択するＭ個のＤＡコンバータ回路とを有し、前記Ｖｃｏｍ電圧信号群を発生するＶｃｏｍ電位出力回路と
を備える、請求項１に記載の
液晶駆動装置。
【請求項３】
前記インピーダンス変換回路は、
前記γ電圧信号群の各電圧と同じＮ個の電圧から成るγ出力電圧群を発生するγ電圧用オペアンプ群と、
前記Ｖｃｏｍ電圧群の各電圧と同じＭ個の電圧から成るＣＯＭ出力電圧群を発生するＶｃｏｍ電圧用オペアンプ群と、
前記γ出力電圧群及びＣＯＭ出力電圧群の各電圧出力ライン上に静電容量を与える静電容量部と、
前記極性制御信号に基づいて、前記γ出力電圧群及びＣＯＭ出力電圧群の中から所定の電圧を夫々選択し、前記γ信号及びＶｃｏｍ信号を夫々発生する極性制御部と
を備える、請求項１に記載の
液晶駆動装置。
【請求項４】
前記液晶駆動回路は、
前記選択されたγ電圧信号に基づいて前記γ補正用電圧を発生するγ補正抵抗回路と、
前記γ補正電圧に基づいて画像データ信号の電圧を出力する画像出力回路と
を備え、
該画像出力回路は、
前記画像データ信号をラッチするＪ個のデータラッチ回路と、
前記画像データ信号を画像デジタル信号に変換するＪ個のデコーダ回路と、
前記画像デジタル信号に基づいて前記γ補正用電圧群から１つの電圧を選択するＪ個のＤＡコンバータ回路と
を有する、請求項１に記載の
液晶駆動装置。
【請求項５】
前記電位生成回路、インピーダンス変換回路、及び、液晶駆動装置が、１つのＩＣチップ上に搭載される、請求項１〜４の何れかに記載の
液晶駆動装置。
【発明の詳細な説明】
【０００１】
【発明の属する技術分野】
本発明は、液晶駆動装置に関し、より詳細には、携帯電話等の小型の携帯機器に搭載される液晶表示パネル等を駆動する液晶駆動装置に関するものである。
【０００２】
【従来の技術】
現在液晶表示（以下、ＬＣＤと呼ぶ）装置は、コンピュータ等の携帯機器の表示装置として不可欠である。特に、携帯電話に搭載されるＬＣＤ装置では、小型化・軽量化が不可欠である。
【０００３】
図５は、従来のＬＣＤ装置のブロック図である。ＬＣＤ装置は、液晶駆動回路４と液晶パネル６とを有する表示部、及び、γ補正抵抗部７１とインピーダンス変換器７２と抵抗ストリング部７３とＶcom駆動回路７４とを有する表示制御部７で構成される。液晶駆動回路４は、１チップの液晶駆動回路ＩＣとして液晶パネル６に搭載され、表示制御部７は、外部回路として液晶パネル６とは別に搭載される。
【０００４】
γ補正抵抗部７１及び抵抗ストリング部７３は、高電圧電源Ｖccと低電圧電源Ｖssとの間に直列に接続された複数の抵抗により、複数の電圧を発生する。インピーダンス変換器７２は、γ補正抵抗部７１から出力されるＮ個の電圧のインピーダンスを変換し、Ｎ個の電圧から成るγ電圧信号１０３を液晶駆動回路４に入力する。γ電圧信号１０３を伝送する各信号線には、キャパシタが配置される。液晶駆動回路４は、γ電圧信号１０３に基づいて、画像データ信号１０７を複数の電圧信号から成る画像信号１０８に変換し、液晶パネル６に入力する。
【０００５】
Ｖcom駆動回路７４は、抵抗ストリング部７３から出力される電圧に基づいて、Ｍ個の電圧から成るＶcom電圧信号１０４を発生し、液晶パネル６に入力する。液晶パネル６は、画像信号１０８及びＶcom電圧信号１０４に基づいて液晶パネルの交流駆動を行い、文字や画像を表示する。
【０００６】
【発明が解決しようとする課題】
上記従来のＬＣＤ装置では、液晶パネル６の制御に当って、画像信号１０８を入力する液晶駆動回路４、及び、Ｖcom電圧信号１０４を入力する表示制御部７に機能を夫々分担し、液晶パネルと外部回路とに分割して配置される。
【０００７】
液晶パネル６を構成する液晶表示素子は、印加電圧に対する光透過率特性が非直線性を示す。液晶駆動回路４は、光透過率特性のγ曲線に対応するγ補正を行ったγ電圧信号１０３に基づいて、液晶パネル６に所定のコントラストを与えている。
【０００８】
液晶表示素子は、直流電圧駆動を用いると、液晶パネル６の電極表面で電気化学反応が起き、ＬＣＤ装置の寿命が短くなるので、上記のように一定の周期で電圧極性を反転させる交流電圧駆動を用いる。しかし、交流電圧駆動では、液晶パネル６は、寄生容量等の影響により駆動電圧波形がなまり、波形の正極側面積と負極側面積とが一致せず、直流成分が生じて画面がちらちらするフリッカ等の悪影響がある。液晶パネル６は、Ｖcom信号に基づいて、この駆動電圧を完全な交流にして、直流成分による悪影響を抑える。
【０００９】
γ信号及びＶcom信号は、液晶パネル６との関連性が強く、液晶パネル６に対応する固有の適正値がある。γ信号及びＶcom信号に対する調整には、γ補正抵抗部７１及び抵抗ストリング部７３を構成する外付け各抵抗を所定の値にするハードウェア的な作業を要する。γ補正抵抗部７１は、外付け抵抗の値を調整してγ補正すると、γ補正による電圧の分解能が低いので、更に抵抗を追加し分解能を高める必要があり、ハードウェア的な調整作業が複雑である。
【００１０】
また、ＬＣＤ装置は、液晶パネル６、液晶駆動回路４の液晶駆動回路ＩＣ、及び、表示制御部７の外部回路の構成部品を要し、特に外部回路を構成する外部部材が多い。このため、従来のＬＣＤ装置は、調整作業が複雑であり、また外部部材のために、小型化及び低コスト化が困難になるという問題がある。
【００１１】
本発明は、上記したような従来の技術が有する問題点を解決するためになされたものであり、小型化及び低コスト化が容易で調整作業が容易な液晶駆動装置を提供することを目的とする。
【００１２】
【課題を解決するための手段】
上記目的を達成するため、本発明の液晶駆動装置は、液晶パネルの特性に応じたγ信号及びＶｃｏｍ信号を発生し、画像データ信号に従う画像が所定の階調度で表示されるように、前記γ信号及びＶｃｏｍ信号に基づいて、液晶パネルを交流駆動する液晶駆動装置において、信号発生回路制御プログラムに基づいて動作し、液晶パネルの交換時に、かつ、液晶駆動装置の電源投入直後に、交換された液晶パネルに対応して調整されたγ信号およびＶｃｏｍ信号の適正値をソフトウエアで指定することで、複数の電位アドレス信号から順次に選択される１つの電位アドレス信号と、正極又は負極を交互に選択するための極性制御信号とを発生する信号発生回路と、順次に選択された複数（Ｎ＋Ｍ個）の電位アドレス信号に基づいて、Ｎ個のγ電圧信号から成るγ電圧信号群と、Ｍ個のＶｃｏｍ電圧信号から成るＶｃｏｍ電圧信号群とを発生する電位生成回路と、前記Ｎ個のγ電圧信号、Ｍ個のＶｃｏｍ電圧信号及び前記極性制御信号が入力され、前記γ電圧信号群の内から特定のγ電圧信号をその極性と共に選択すると共に、特定のＶｃｏｍ電圧信号を出力するインピーダンス変換回路と、前記インピーダンス変換回路から出力されるγ電圧信号に基づいて前記画像データ信号の電圧を出力する液晶駆動回路とを備えることを特徴とする。
【００１３】
本発明の液晶駆動装置は、γ信号及びＶcom信号の発生が、信号発生回路が発生する電位アドレス信号及び極性制御信号に基づいて、制御されることにより、液晶パネルに応じたγ信号及びＶcom信号の調整作業が、信号発生回路に対するソフトウェア制御により行えるので、外付け抵抗等によるハードウェア的な調整作業や外部部材が必要なくなり、液晶駆動回路ＩＣ及び外部回路として分担していた２つの構成部材を１つの構成部材にできるので、小型化及び低コスト化が容易になり、調整作業が容易なる。
【００１４】
本発明の液晶駆動装置では、前記電位生成回路、インピーダンス変換回路、及び、液晶駆動装置が、１つのＩＣチップ上に搭載されることが好ましい。この場合、液晶駆動装置ＩＣとして１チップ化することが容易になる。
【００１５】
本発明の液晶駆動装置では、前記電位生成回路は、高電圧電源と低電圧電源との電位差を分圧し、複数の参照電圧を発生する抵抗ストリングス回路と、前記電位アドレス信号に基づいてγ電位アドレスをラッチするＮ個のデータラッチ回路と、前記γ電位アドレスをγデジタル信号に変換するＮ個のデコーダ回路と、前記γデジタル信号に基づいて前記複数の参照電圧の中から１つの電圧を選択するＮ個のＤＡコンバータ回路とを有し、前記γ電圧信号群を発生するγ電位出力回路と、前記電位アドレス信号に基づいてＣＯＭ電位アドレスをラッチするＭ個のデータラッチ回路と、前記ＣＯＭ電位アドレスをＣＯＭデジタル信号に変換するＭ個のデコーダ回路と、前記ＣＯＭデジタル信号に基づいて前記複数の参照電圧の中から１つの電圧を選択するＭ個のＤＡコンバータ回路とを有し、前記Ｖcom電圧信号群を発生するＶcom電位出力回路とを備えること、前記インピーダンス変換回路は、前記γ電圧信号群の各電圧と同じＮ個の電圧から成るγ出力電圧群を発生するγ電圧用オペアンプ群と、前記Ｖcom電圧群の各電圧と同じＭ個の電圧から成るＣＯＭ出力電圧群を発生するＶcom電圧用オペアンプ群と、前記γ出力電圧群及びＣＯＭ出力電圧群の各電圧出力ライン上に静電容量を与える静電容量部と、前記極性制御信号に基づいて、前記γ出力電圧群及びＣＯＭ出力電圧群の中から所定の電圧を夫々選択し、前記γ信号及びＶcom信号を夫々発生する極性制御部とを備えること、又は、前記液晶駆動回路は、前記選択されたγ電圧信号に基づいて前記γ補正用電圧を発生するγ補正抵抗回路と、前記γ補正電圧に基づいて画像データ信号の電圧を出力する画像出力回路とを備え、該画像出力回路は、前記画像データ信号をラッチするＪ個のデータラッチ回路と、前記画像データ信号を画像デジタル信号に変換するＪ個のデコーダ回路と、前記画像デジタル信号に基づいて前記γ補正用電圧群から１つの電圧を選択するＪ個のＤＡコンバータ回路とを有することもできる。
【００１６】
【発明の実施の形態】
以下、本発明の実施形態例に基づいて、本発明の液晶駆動装置について図面を参照して説明する。図１は、本発明の一実施形態例の液晶駆動装置を搭載したＬＣＤ装置のブロック図である。ＬＣＤ装置は、液晶駆動装置１及び液晶パネル６を有する。液晶駆動装置１は、電位生成回路２、インピーダンス変換回路３、液晶駆動回路４、及び、信号発生回路５で構成される。液晶駆動回路４及び液晶パネル６は、表示部を構成し、電位生成回路２、インピーダンス変換回路３、及び、信号発生回路５は、表示制御部を構成する。
【００１７】
液晶駆動装置１は、１チップ化した液晶駆動装置ＩＣとして製造される。ＬＣＤ装置は、従来搭載されていた液晶駆動回路ＩＣ及び外部回路の２つの構成部材に代えて、液晶駆動装置ＩＣの１つの構成部材を搭載する。
【００１８】
信号発生回路５は、電位アドレス信号１０５及び極性制御信号１０６を発生し、電位アドレス信号１０５を電位生成回路２に入力し、極性制御信号１０６をインピーダンス変換回路３に入力する。電位生成回路２は、電位アドレス信号１０５に基づいて、Ｎ個の電圧から成るγ電圧信号群１０１、及び、Ｍ個の電圧から成るＶcom電圧信号群１０２を生成し、γ電圧信号群１０１及びＶcom電圧信号群１０２をインピーダンス変換回路３に入力する。
【００１９】
インピーダンス変換回路３は、極性制御信号１０６に基づいて、γ電圧信号群１０１及びＶcom電圧信号群１０２を夫々γ電圧信号１０３及びＶcom電圧信号１０４のインピーダンスを変換する。インピーダンス変換回路３は、γ電圧信号１０３を液晶駆動回路４に入力し、Ｖcom電圧信号１０４を液晶パネル６に入力する。液晶駆動回路４は、γ電圧信号１０３に基づいて、画像データ信号１０７を画像信号１０８に変換し、液晶パネル６に入力する。
【００２０】
図２は、図１の電位生成回路２の構成を示す。電位生成回路２は、抵抗ストリングス回路２１、γ電位出力回路２２、及び、Ｖcom電位出力回路２３で構成される。抵抗ストリングス回路２１は、Ｘ＋１個の抵抗Ｒa1〜Ｒax+1で構成される。
【００２１】
抵抗Ｒa1〜Ｒax+1は、値が全て等しく、高電圧電源ラインＶccから低電圧電源ラインＶssまでの間に、この順で直列に接続される。抵抗ストリングス回路２１は、高電圧電源Ｖccから低電圧電源Ｖssまでの電圧を等間隔にＸ＋１に分圧し、Ｘ個の電圧Ｖa（１）〜Ｖa（Ｘ）をこの順で発生する。このＸは、γ電位出力回路２２及びＶcom電位出力回路２３が参照できる電圧値の個数を示す。
【００２２】
γ電位出力回路２２は、データラッチ回路２０１〜２０ｎ、デコーダ回路２１１〜２１ｎ、及び、ＤＡコンバータ回路２２１〜２２ｎで構成される。データラッチ回路２０１、デコーダ回路２１１、及び、ＤＡコンバータ回路２２１は、第１番目のγ電位出力部分を構成し、以下同様に、データラッチ回路２０ｎ、デコーダ回路２１ｎ、及び、ＤＡコンバータ回路２２ｎは、第Ｎ番目のγ電位出力部分を構成する。
【００２３】
Ｖcom電位出力回路２３は、データラッチ回路２３１〜２３ｍ、デコーダ回路２４１〜２４ｍ、及び、ＤＡコンバータ回路２５１〜２５ｍで構成される。データラッチ回路２３１、デコーダ回路２４１、及び、ＤＡコンバータ回路２５１は、第１番目のＶcom電位出力部分を構成し、以下同様に、データラッチ回路２３ｍ、デコーダ回路２４ｍ、及び、ＤＡコンバータ回路２５ｍは、第Ｍ番目のＶcom電位出力部分を構成する。
【００２４】
抵抗ストリングス回路２１は、電圧Ｖa（１）〜Ｖa（Ｌ）をＤＡコンバータ回路２２１に入力し、電圧Ｖa（Ｌ＋１）〜Ｖa（２・Ｌ）をＤＡコンバータ回路２２２に入力し、以下同様にして、電圧Ｖa（（（Ｎ−１）・Ｌ）＋１）〜Ｖa（Ｎ・Ｌ）をＤＡコンバータ回路２２ｎに入力する。
【００２５】
抵抗ストリングス回路２１は、電圧Ｖa（１）〜Ｖa（Ｌ）をＤＡコンバータ回路２５１に入力し、電圧Ｖa（Ｌ＋１）〜Ｖa（２・Ｌ）をＤＡコンバータ回路２５２に入力し、以下同様に、電圧Ｖa（［｛（Ｍ／２）−１｝・Ｌ］＋１）〜Ｖa（（Ｍ／２）・Ｌ）をＤＡコンバータ回路２５（ｍ／２）に入力する。
【００２６】
抵抗ストリングス回路２１は、電圧Ｖa（［｛Ｎ−（Ｍ／２）｝・Ｌ］＋１）〜Ｖa（［｛Ｎ−（Ｍ／２）＋１｝・Ｌ］）をＤＡコンバータ回路２５（ｍ／２＋１）に入力し、電圧Ｖa（［｛Ｎ−（Ｍ／２）＋１｝・Ｌ］＋１）〜Ｖa（［｛Ｎ−（Ｍ／２）＋２｝・Ｌ］）をＤＡコンバータ回路２５（ｍ／２＋２）に入力し、以下同様に、電圧Ｖa（［｛Ｎ−１｝・Ｌ］＋１）〜Ｖa（Ｎ・Ｌ）をＤＡコンバータ回路２５ｍに入力する。
【００２７】
データラッチ回路２０１〜２０ｎ及び２３１〜２３ｍには、電位アドレス信号１０５が入力される。電位アドレス信号１０５は、γ及びＣＯＭの電位アドレスがＭ＋Ｎビットのデータとして時系列に伝送される信号である。γクロック１１１〜１１ｎ、及び、ＣＯＭクロック１２１〜１２ｍは、電位アドレス信号１０５に同期して夫々発生する。
【００２８】
データラッチ回路２０１は、γクロック１１１に同期して、対応するγ電位アドレスをラッチし、デコーダ回路２１１に入力する。以下同様にして、データラッチ回路２０ｎは、γクロック１１ｎに同期して、対応するγ電位アドレスをラッチし、デコーダ回路２１ｎに入力する。γ電位アドレスは、０からＬまでの範囲から任意の値が設定される。
【００２９】
データラッチ回路２３１は、ＣＯＭクロック１２１に同期して、対応するＣＯＭ電位アドレスをラッチし、デコーダ回路２４１に入力する。以下同様にして、データラッチ回路２３ｍは、ＣＯＭクロック１２ｍに同期して、対応するＣＯＭ電位アドレスをラッチし、デコーダ回路２４ｍに入力する。ＣＯＭ電位アドレスは、０からＬまでの範囲から任意の値が設定される。
【００３０】
デコーダ回路２１１〜２１ｎは夫々、γ電位アドレスをγデジタル信号に変換し、ＤＡコンバータ回路２２１〜２２ｎに入力する。デコーダ回路２４１〜２４ｍは夫々、ＣＯＭ電位アドレスをＣＯＭデジタル信号に変換し、ＤＡコンバータ回路２５１〜２５ｍに入力する。ＤＡコンバータ回路２２１〜２２ｎ及び２５１〜２５ｍは、入力されるデジタル信号に基づいて、Ｌ個の中からデジタル信号が示す１つの電圧Ｖaを選択し、アナログ信号として出力する。
【００３１】
ＤＡコンバータ回路２２１は、γデジタル信号に基づいて、電圧Ｖa（１）〜Ｖa（Ｌ）の何れか１つを選択し、同じ電圧のアナログ信号の電圧Ｖb（１）を出力する。ＤＡコンバータ回路２２２は、γデジタル信号に基づいて、電圧Ｖa（Ｌ＋１）〜Ｖa（Ｌ・２）の何れか１つを選択し、同じ電圧のアナログ信号の電圧Ｖb（２）を出力する。以下同様にして、ＤＡコンバータ回路２２ｎは、γデジタル信号に基づいて、電圧Ｖa（（Ｎ−１）・Ｌ）〜Ｖa（Ｎ・Ｌ）の何れか１つを選択し、同じ電圧のアナログ信号の電圧Ｖb（Ｎ）を出力する。
【００３２】
ＤＡコンバータ回路２５１は、ＣＯＭデジタル信号に基づいて、電圧Ｖa（１）〜Ｖa（Ｌ）の何れか１つを選択し、同じ電圧のアナログ信号の電圧Ｖc（１）を出力する。ＤＡコンバータ回路２５２は、ＣＯＭデジタル信号に基づいて、電圧Ｖa（Ｌ＋１）〜Ｖa（２・Ｌ）の何れか１つを選択し、同じ電圧のアナログ信号の電圧Ｖc（２）を出力する。以下同様に、ＤＡコンバータ回路２５（ｍ／２）は、ＣＯＭデジタル信号に基づいて、電圧Ｖa（［｛（Ｍ／２）−１｝・Ｌ］＋１）〜Ｖa（（Ｍ／２）・Ｌ）の何れか１つを選択し、同じ電圧のアナログ信号の電圧Ｖc（Ｍ／２）を出力する。
【００３３】
ＤＡコンバータ回路２５（ｍ／２＋１）は、ＣＯＭデジタル信号に基づいて、電圧Ｖa（［｛Ｎ−（Ｍ／２）｝・Ｌ］＋１）〜Ｖa（［｛Ｎ−（Ｍ／２）＋１｝・Ｌ］）の何れか１つを選択し、同じ電圧のアナログ信号の電圧Ｖc（（Ｍ／２）＋１）を出力する。ＤＡコンバータ回路２５（ｍ／２＋２）は、ＣＯＭデジタル信号に基づいて、電圧Ｖa（［｛Ｎ−（Ｍ／２）＋１｝・Ｌ］＋１）〜Ｖa（［｛Ｎ−（Ｍ／２）＋２｝・Ｌ］）の何れか１つを選択し、同じ電圧のアナログ信号の電圧Ｖc（（Ｍ／２）＋２）を出力する。以下同様に、ＤＡコンバータ回路２５ｍは、ＣＯＭデジタル信号に基づいて、電圧Ｖa（［｛Ｎ−１｝・Ｌ］＋１）〜Ｖa（Ｎ・Ｌ）の何れか１つを選択し、同じ電圧のアナログ信号の電圧Ｖc（Ｍ）を出力する。
【００３４】
図３は、図１のインピーダンス変換回路３の構成を示す。インピーダンス変換回路３は、γ電圧用オペアンプ群３１、Ｖcom電圧用オペアンプ群３２、静電容量部３３、及び、極性制御部３４で構成される。γ電圧用オペアンプ群３１は、Ｎ個のオペアンプＡ11〜Ａ1nで構成され、Ｎ個の電圧Ｖb（１）〜Ｖb（Ｎ）から成るγ電圧信号群１０１が入力される。Ｖcom電圧用オペアンプ群３２は、Ｍ個のオペアンプＡ21〜Ａ2mで構成され、Ｍ個の電圧Ｖc（１）〜Ｖc（Ｍ）から成るＶcom電圧信号群１０２が入力される。オペアンプＡ11〜Ａ1n及びＡ21〜Ａ2mは、ボルテージフォロワを構成し、インピーダンス変換により、入力電圧と同電圧の出力電圧を発生する。
【００３５】
極性制御部３４は、Ｎ個のスイッチＳ11a〜Ｓ1naから成る第１スイッチ群、Ｎ個のスイッチＳ11b〜Ｓ1nbから成る第２スイッチ群、及び、Ｍ個のスイッチＳ21〜Ｓ2mから成る第３スイッチ群で構成され、極性制御信号１０６が入力される。第１スイッチ群、第２スイッチ群、及び、第３スイッチ群は、動作可能なスイッチが交流駆動の際にオンオフする。
【００３６】
静電容量部３３は、所定の値のキャパシタが接続されるＮ個のノードＮ11〜Ｎ1n、及び、Ｍ個のノードＮ21〜Ｎ2mで構成される。インピーダンス変換回路３は、交流駆動の際に、スイッチの何れかがオンする。ノードＮ11〜Ｎ1n及びＮ21〜Ｎ2mのライン上では、交流駆動の際に、電荷の移動があり、電位が変動する。キャパシタは、ライン上の電位変動を吸収し安定にする。
【００３７】
オペアンプＡ11は、電圧Ｖb（１）が入力され、出力端子がノードＮ11を介して、スイッチＳ11a及びＳ11bの一端に接続される。オペアンプＡ12は、電圧Ｖb（２）が入力され、出力端子がノードＮ12を介して、スイッチＳ12a及びＳ12bの一端に接続される。以下同様にして、オペアンプＡ1nは、電圧Ｖb（Ｎ）が入力され、出力端子がノードＮ1nを介して、スイッチＳ1na及びＳ1nbの一端に接続される。スイッチＳ11a〜Ｓ1naの他端は、電圧Ｖd（１）が出力される端子に全て接続される。スイッチＳ11b〜Ｓ1nbの他端は、電圧Ｖd（２）が出力される端子に全て接続される。
【００３８】
オペアンプＡ21は、電圧Ｖc（１）が入力され、出力端子がノードＮ21を介して、スイッチＳ21の一端に接続される。オペアンプＡ22は、電圧Ｖc（２）が入力され、出力端子がノードＮ22を介して、スイッチＳ22の一端に接続される。以下同様にして、オペアンプＡ2mは、電圧Ｖc（Ｍ）が入力され、出力端子がノードＮ2mを介して、スイッチＳ2mの一端に接続される。スイッチＳ21〜Ｓ2mの他端は、電圧Ｖeが出力される端子に全て接続される。
【００３９】
極性制御部３４は、極性制御信号１０６に基づいて、スイッチＳ11a〜Ｓ1na、スイッチＳ11b〜Ｓ1nb、及び、スイッチＳ21〜Ｓ2mの各スイッチ群毎に、正極側駆動時にオンするスイッチを１つ、負極側駆動時にオンするスイッチを１つ夫々動作可能にする。第１〜第３スイッチ群の動作可能でない残りの全てのスイッチは、オフの状態を維持する。
【００４０】
図４は、図１の液晶駆動回路４の構成を示す。液晶駆動回路４は、γ補正抵抗回路４１及び画像出力回路４２で構成される。γ補正抵抗回路４１は、Ｌ−１個の抵抗Ｒb1〜Ｒbl+1で構成される。抵抗Ｒb1〜Ｒbl-1は、液晶の光透過率特性のγ曲線に近似するように、夫々の値が設定され、高電圧電源ラインＶccから低電圧電源ラインＶssまでの間に、この順で直列に接続される。
【００４１】
γ補正抵抗回路４１には、γ電圧信号１０３が入力される。電圧Ｖd（１）は、抵抗Ｒb2とのノードを有する一端とは反対の抵抗Ｒb1の他端に入力される。電圧Ｖd（２）は、抵抗Ｒbl-2とのノードを有する一端とは反対の抵抗Ｒbl-1の他端に入力される。
【００４２】
γ補正抵抗回路４１は、高電圧Ｖccから低電圧Ｖssまでの間の電圧をＬ−１に分圧し、Ｌ個の電圧Ｖf（１）〜Ｖf（Ｌ）をこの順に発生する。液晶の光透過率特性は、電圧Ｖf（１）〜Ｖf（Ｌ）に対して、Ｌ階調分のコントラス比を有する。
【００４３】
画像出力回路４２は、Ｊ個のデータラッチ回路４０１〜４０ｊ、デコーダ回路４１１〜４１ｊ、ＤＡコンバータ回路４２１〜４２ｊ、及び、オペアンプＡ31〜Ａ3jで構成される。データラッチ回路４０１、デコーダ回路４１１、ＤＡコンバータ回路４２１、及び、オペアンプＡ31は、第１の画像出力部分を構成し、以下同様に、データラッチ回路４０ｊ、デコーダ回路４１ｊ、ＤＡコンバータ回路４２ｊ、及び、オペアンプＡ3jは、第Ｊの画像出力部分を構成する。
【００４４】
データラッチ回路４０１〜４０ｎは夫々、画像データ信号１０７が入力され、所定のタイミングで動作することにより、対応する画像データをラッチし、デコーダ回路４１１〜４１ｊに入力する。デコーダ回路４１１〜４１ｊは夫々、画像データを画像デジタル信号に変換し、ＤＡコンバータ回路４２１〜４２ｊに入力する。ＤＡコンバータ回路４２１〜４２ｊは夫々、画像デジタル信号に基づいて、電圧Ｖf（１）〜Ｖf（Ｌ）の中から何れか１つを選択し、同じ電圧を発生して、電圧Ｖg（１）〜Ｖg（Ｊ）として出力する。液晶駆動回路４は、Ｊ個の電圧Ｖg（１）〜Ｖg（Ｊ）を画像信号１０８として出力する。
【００４５】
γ電圧信号１０３は、Ｌ階調のコントラストを与える信号であり、Ｖcom電圧信号１０４は、交流駆動に必要な信号である。ＬＣＤ装置は、Ｖcom電圧信号１０４の電位と画像信号１０８の電位との差に基づいて、交流駆動が行われる。
【００４６】
γ電圧信号１０３及びＶcom電圧信号１０４の発生は、信号発生回路５が発生する電位アドレス信号１０５及び極性制御信号１０６に基づいて、制御される。信号発生回路５は、内部に制御レジスタを有し、制御レジスタの内容に基づいて、電位アドレス信号１０５及び極性制御信号１０６を発生する。
【００４７】
液晶パネル６に応じたγ電圧信号１０３及びＶcom電圧信号１０４の適正値の設定は、信号発生回路５に対するソフトウェア制御により行われる。図示されないマイクロコンピュータは、信号発生回路制御プログラムに基づいて動作し、ＬＣＤ装置の電源投入の直後に、予め調整された適正値を信号発生回路５の制御レジスタに書き込む。調整作業は、液晶パネル６の変更時のみ行われ、ＬＣＤ装置を動作させながら、信号発生回路制御プログラムを用いて適正値を調整し、内部に保存する。
【００４８】
以下、適正値の設定動作について説明する。適正値に対応する制御レジスタの内容は、γ電位出力回路２２の分解能Ｎが４であり、Ｖcom電位出力回路２３の分解能Ｍが２であり、抵抗ストリングス回路２１の分解能Ｘが２５６であり、階調数Ｌが６４である。信号発生回路５に対するソフトウェア制御により、上記の設定値を電位アドレス信号１０５及び極性制御信号１０６に設定する。
【００４９】
電位アドレス信号１０５の内容に従って、γ電位アドレスは、正極駆動時の高電位側が１、正極駆動時の低電位側が２、負極駆動時の高電位側が１、負極駆動時の低電位側が２に夫々設定される。ＣＯＭ電位アドレスは、正極駆動時が３、負極駆動時が３に設定される。
【００５０】
極性制御信号１０６の内容に従って、正極駆動時にオンするスイッチがＳ11a、Ｓ13b、及び、Ｓ21に夫々設定される。負極駆動時にオンするスイッチがＳ12a、Ｓ14b、及び、Ｓ2mに夫々設定される。
【００５１】
抵抗ストリングス回路２１は、高電圧Ｖccから低電圧Ｖssまでを２５７等分に分圧し、２５６個の電圧Ｖa（１）〜Ｖa（２５６）を生成する。γ電位出力回路２２は、電圧Ｖa（１）〜Ｖa（２５６）が入力される。Ｖcom電位出力回路２３は、電圧Ｖa（１）〜Ｖa（６４）、及び、電圧Ｖa（１９３）〜Ｖa（２５６）が入力される。
【００５２】
ＤＡコンバータ回路２２１は、電位アドレス信号１０５に基づいて、電圧Ｖa（１）〜Ｖa（６４）の中から電圧Ｖa（１）を選択し、電圧Ｖa（１）と同電圧の電圧Ｖb（１）を発生する。ＤＡコンバータ回路２２２は、電位アドレス信号１０５に基づいて、電圧Ｖa（６５）〜Ｖa（１２８）の中から電圧Ｖa（６５）を選択し、電圧Ｖa（６５）と同電圧の電圧Ｖb（２）を発生する。ＤＡコンバータ回路２２３は、電位アドレス信号１０５に基づいて、電圧Ｖa（１２９）〜Ｖa（１９２）の中から電圧Ｖa（１３０）を選択し、電圧Ｖa（１３０）と同電圧の電圧Ｖb（３）を発生する。ＤＡコンバータ回路２２４は、電位アドレス信号１０５に基づいて、電圧Ｖa（１９３）〜Ｖa（２５６）の中から電圧Ｖa（１９４）を選択し、電圧Ｖa（１９４）と同電圧の電圧Ｖb（４）を発生する。
【００５３】
ＤＡコンバータ回路２５１は、電位アドレス信号１０５に基づいて、電圧Ｖa（１）〜Ｖa（６４）の中から電圧Ｖa（３）を選択し、電圧Ｖa（３）と同電圧の電圧Ｖc（１）を発生する。ＤＡコンバータ回路２５２は、電位アドレス信号１０５に基づいて、電圧Ｖa（１９３）〜Ｖa（２５６）の中から電圧Ｖa（１９５）を選択し、電圧Ｖa（１９５）と同電圧の電圧Ｖc（２）を発生する。
【００５４】
インピーダンス変換回路３は、電圧Ｖb（１）〜Ｖb（４）を選択し、同電圧の電圧Ｖd（１）及びＶd（２）から成る２値のγ電圧信号１０３を発生し、Ｖc（１）及びＶc（２）を選択し、電圧Ｖeから成るＶcom電圧信号１０４を発生する。
【００５５】
γ補正抵抗回路４１は、高電圧Ｖd（１）から低電圧Ｖd（２）までを６４分割し、電圧Ｖf（１）〜Ｖf（６４）をこの順に発生する。画像出力回路４２は、電圧Ｖf（１）〜Ｖf（６４）に基づいて、画像データ信号１０７を画像信号１０８に変換する。画像信号１０８は、Ｊ個の電圧Ｖg（１）〜電圧Ｖg（Ｊ）から成り、６４階調のコントラストを有する。画像信号１０８の各電圧Ｖgは、画像データに基づいて印加電圧が決定され、最高電圧印加時に電圧Ｖf（１）が指定され、最低電圧印加時に電圧Ｖf（６４）が指定される。
【００５６】
正極側駆動の場合、画像信号１０８の各電圧Ｖgは、最高電圧印加にＶf（１）＝Ｖd（１）＝Ｖb（１）＝Ｖa（１）になり、最低電圧印加時にＶf（６４）＝Ｖd（２）＝Ｖb（３）＝Ｖa（１３０）になる。Ｖcom電圧信号１０４の電圧Ｖeは、Ｖe＝Ｖc（１）＝Ｖa（３）になる。
【００５７】
負極側駆動の場合、画像信号１０８の各電圧Ｖgは、最高電圧印加にＶf（１）＝Ｖd（１）＝Ｖb（２）＝Ｖa（６５）になり、最低電圧印加時にＶf（６４）＝Ｖd（２）＝Ｖb（４）＝Ｖa（１９４）になる。Ｖcom電圧信号１０４の電圧Ｖeは、Ｖe＝Ｖc（２）＝Ｖa（１９５）になる。
【００５８】
上記実施形態例によれば、γ信号及びＶcom信号の発生が、信号発生回路が発生する電位アドレス信号及び極性制御信号に基づいて、制御されることにより、液晶パネルに応じたγ信号及びＶcom信号の調整作業が、信号発生回路に対するソフトウェア制御により行えるので、外付け抵抗等によるハードウェア的な調整作業や外部部材が必要なくなり、液晶駆動回路ＩＣ及び外部回路として分担していた２つの構成部材を１つの構成部材にできるので、小型化及び低コスト化が容易になり、調整作業が容易なる。
【００５９】
なお、上記実施形態例では、γ電圧信号１０３が２つの電圧Ｖd（１）及びＶd（２）から成る場合について説明したが、インピーダンス変換回路３を変更し、γ電圧信号１０３を３つの電圧Ｖd（１）〜Ｖd（３）にして、γ補正抵抗回路４１の直列抵抗部分の各ノードに入力することもできる。この場合、電圧Ｖd（１）、Ｖd（２）、及び、Ｖd（３）を電圧Ｖf（１）を発生するノード、電圧Ｖf（Ｌ／２）を発生するノード、及び、電圧Ｖf（Ｌ）を発生するノードに夫々入力すれば、高電圧側と低電圧側の調整が夫々独立に行えるので、光透過率特性のγ曲線に対応するγ補正の調整精度が向上する。
【００６０】
以上、本発明をその好適な実施形態例に基づいて説明したが、本発明の液晶駆動装置は、上記実施形態例の構成にのみ限定されるものでなく、上記実施形態例の構成から種々の修正及び変更を施した液晶駆動装置も、本発明の範囲に含まれる。
【００６１】
【発明の効果】
以上説明したように、本発明の液晶駆動装置では、液晶パネルに応じたγ信号及びＶcom信号の調整作業が、信号発生回路に対するソフトウェア制御により行えることにより、液晶駆動回路ＩＣ及び外部回路として分担していた２つの構成部材を１つの構成部材にできるので、小型化及び低コスト化が容易になり、調整作業が容易なる。この場合、γ電位出力回路２２の分解能Ｎ及びＶcom電位出力回路２３の分解能Ｍを高めれば、γ信号及びＶcom信号に対する調整の精度が向上し、液晶パネル上の表示画像の画質も向上する。
【００６２】
また、電位生成回路、インピーダンス変換回路、及び、液晶駆動装置を１つにまとめることにより、液晶駆動装置ＩＣとしての１チップ化が容易になる。
【図面の簡単な説明】
【図１】本発明の一実施形態例の液晶駆動装置を搭載したＬＣＤ装置のブロック図である。
【図２】図１の電位生成回路２の構成を示す。
【図３】図１のインピーダンス変換回路３の構成を示す。
【図４】図１の液晶駆動回路４の構成を示す。
【図５】従来のＬＣＤ装置のブロック図である。
【符号の説明】
１  液晶駆動装置
２  電位生成回路
３  インピーダンス変換回路
４  液晶駆動回路
５  信号発生回路
６  液晶パネル
７  表示制御部
２１  抵抗ストリングス回路
２２  γ電位出力回路
２３  Ｖcom電位出力回路
３１  γ電圧用オペアンプ群
３２  Ｖcom電圧用オペアンプ群
３３  静電容量部
３４  極性制御部
４１  γ補正抵抗回路
４２  画像出力回路
７１  γ補正抵抗部
７２  インピーダンス変換部
７３  抵抗ストリングス部
７４  Ｖcom駆動回路
１０１  γ電圧群
１０２  Ｖcom電圧群
１０３  γ電圧信号
１０４  Ｖcom電圧信号
１０５  電位アドレス信号
１０６  極性制御信号
１０７  画像データ信号
１０８  画像出力信号
１１１〜１１ｎ  γクロック
１２１〜１２ｍ  ＣＯＭクロック
２０１〜２０ｎ、２３１〜２３ｍ、４０１〜４０ｊ  データラッチ回路
２１１〜２１ｎ、２４１〜２４ｍ、４１１〜４１ｊ  デコーダ回路
２２１〜２２ｎ、２５１〜２５ｍ、４２１〜４２ｊ  ＤＡコンバータ回路
Ａ11〜Ａ1n、Ａ21〜Ａ2m、Ａ31〜Ａ3j  オペアンプ
Ｒa1〜Ｒax+1、Ｒb1〜Ｒbl-1  抵抗
【図１】
0004766760.tif 000002
【図２】
0004766760.tif 000003
【図３】
0004766760.tif 000004
【図４】
0004766760.tif 000005
【図５】
0004766760.tif 000006